(57)【特許請求の範囲】
【請求項１】
地中に設けた保管空間の収容開口を除く全域に第１アスファルト層を設けて前記保管空間を防水処理し、放射性物質で汚染された放射性汚染物質を収容した保管用容器又は保管用袋を溶融アスファルトに浸漬させて前記保管用容器又は保管用袋を第２アスファルト層で被覆した後、前記保管用容器又は保管用袋を前記収容開口を通して前記保管空間内に収容し、次いで、前記保管空間に収容した前記保管用容器又は保管用袋間の間隙にアスファルトを充填してこれらを保管塊とし、その後、前記保管空間の収容開口に土壌を満たして前記保管塊を土壌で覆うことを特徴とする放射性汚染物質の保管方法。
【請求項２】
前記保管空間の前記第１アスファルト層は、アスファルトエマルジョンを吹き付けることによって形成され、この第１アスファルト層の底面に溶融アスファルトを流入することによって底アスファルト層が形成されることを特徴とする請求項１に記載の放射性汚染物質の保管方法。
【請求項３】
前記保管空間の前記収容開口を除く全域に第１防水シートを配設し、前記第１防水シートの表面側にアスファルトエマルジョンを吹き付けて前記第１アスファルト層を形成することを特徴とする請求項２に記載の放射性汚染物質の保管方法。
【請求項４】
前記保管塊の表面側に第２防水シートを配設し、前記第２防水シートの表面側に土壌を満たして前記保管塊を土壌で覆うことを特徴とする請求項３に記載の放射性汚染物質の保管方法。
【発明の詳細な説明】
【技術分野】
【０００１】
本発明は、放射性物質（例えば、セシウムなど）で汚染された放射性汚染物質を安全に保管する保管方法に関する。
【背景技術】
【０００２】
原発事故などで大気中に放出された放射性物質（例えば、セシウム１３７、ヨウ素１３１など）は、地面に落下しその表面などに蓄積され、その除去が問題となっている。地表に蓄積された放射性物質の除去方法の有効な方法の一つとして、地表の土壌（例えば、地表５ｃｍ程度の土壌）を除去する方法が提案されている。
【発明の概要】
【発明が解決しようとする課題】
【０００３】
しかしながら、地表の土壌を除去しても、除去した土壌が大量となり、その保管方法が問題となっている。例えば、除去した土壌を保管用袋（例えば、サンドバッグ）に収容して地中に埋めて保管しようとすると、保管用袋から放射性物質が漏れ出して地下水を汚染するという問題が新たに発生する。この問題を解決するために、例えば、地中に防水シートを介して保管用袋を埋めることも考えられるが、長期間の保管によって防水シートが破損するなどして放射性物質が漏れ出るなどのおそれがある。
【０００４】
本発明の目的は、放射性物質に汚染された放射性汚染物質を地中に長期間にわたって安全に保管することができる保管方法を提供することである。
【課題を解決するための手段】
【０００５】
本発明の請求項１に記載の放射性汚染物質の保管方法は、地中に設けた保管空間の収容開口を除く全域に第１アスファルト層を設けて前記保管空間を防水処理し、放射性物質で汚染された放射性汚染物質を収容した保管用容器又は保管用袋を前記収容開口を通して前記保管空間内に収容し、次いで、前記保管空間に収容した前記保管用容器又は保管用袋間の間隙にアスファルトを充填してこれらを保管塊とし、その後、前記保管空間の収容開口に土壌を満たして前記保管塊を土壌で覆うことを特徴とする。
【０００６】
また、本発明の請求項２に放射性汚染物質の保管方法では、前記保管空間に保管する前に、前記保管用容器又は保管用袋を溶融アスファルトに浸漬させて前記保管用容器又は保管用袋を第２アスファルト層で被覆することを特徴とする。
【０００７】
また、本発明の請求項３に記載の放射性汚染物質の保管方法では、前記保管空間の前記第１アスファルト層は、アスファルトエマルジョンを吹き付けることによって形成され、この第１アスファルト層の底面に溶融アスファルトを流入することによって底アスファルト層が形成されることを特徴とする。
【０００８】
また、本発明の請求項４に記載の放射性汚染物質の保管方法では、前記保管空間の前記収容開口を除く全域に第１防水シートを配設し、前記第１防水シートの表面側にアスファルトエマルジョンを吹き付けて前記第１アスファルト層を形成することを特徴とする。
【０００９】
更に、本発明の請求項５に記載の放射性汚染物質の保管方法では、前記保管塊の表面側に第２防水シートを配設し、前記第２防水シートの表面側に土壌を満たして前記保管塊を土壌で覆うことを特徴とする。
【発明の効果】
【００１０】
本発明の請求項１に記載の放射性汚染物質の保管方法によれば、地中に設けた保管空間の収容開口を除く全域に第１アスファルト層を設けて保管空間を防水処理し、この防水処理した保管空間に放射性汚染物質を収容した保管用容器（又は保管用袋）を収容して保管するので、第１アスファルト層の防水機能によって、放射性汚染物質が地下水に漏れ出るのを防止することができる。また、保管空間に収容した保管用容器（又は保管用袋）間の間隙にアスファルトを充填してこれらを保管塊とし保管するので、保管用容器（又は保管用袋）からの放射性汚染物質の漏れも確実に防止することができ、これによって、放射性汚染物質の地下水への漏出をより確実に防止することができる。
【００１１】
また、本発明の請求項２に放射性汚染物質の保管方法によれば、保管用容器（又は保管用袋）を溶融アスファルトに浸漬させるので、保管用容器（又は保管用袋）を第２アスファルト層で簡単に被覆することができ、これによって、保管用容器（又は保管用袋）の搬送中における放射性汚染物質の漏れを確実に防止することができ、加えて地中での保管中における放射性物質の漏れも防止することができる。
【００１２】
また、本発明の請求項３に記載の放射性汚染物質の保管方法によれば、第１アスファルト層は、アスファルトエマルジョンを吹き付けることによって形成されるので、この第１アスファルト層に柔軟性を持たせることができ、これによって、第１アスファルト層におけるクラックの発生を防止することができる。また、この第１アスファルト層の底面に溶融アスファルトを流入して底アスファルト層が形成されるので、保管空間２の底面を硬くして保管用容器（又は保管用袋）を支持することができる。また、この底アスファルト層の下側に第１アスファルト層が存在するので、仮に、底アスファルト層にクラックが生じたとしても、水圧、土圧などによって第１アスファルト層がクラック内に侵入して塞ぎ、これによって、底アスファルト層の防水機能を維持することができる。
【００１３】
また、本発明の請求項４に記載の放射性汚染物質の保管方法によれば、保管空間の収容開口を除く全域に第１防水シートを配設し、この第１防水シートの表面側にアスファルトエマルジョンを吹き付けるので、アスファルトエマルジョンによる第１アスファルト層を簡単に形成することができるとともに、保管空間の防水機能をより高めることができる。
【００１４】
更に、本発明の請求項５に記載の放射性汚染物質の保管方法によれば、保管塊の表面側に第２防水シートを配設し、前記第２防水シートの表面側に土壌を満たしているので、保管空間の収容開口側においても充分な防水機能を持たせることができる。
【図面の簡単な説明】
【００１５】
【図１】本発明に従う放射性汚染物質の保管方法における保管空間を形成するための工程を説明する説明図。
【図２】本発明に従う放射性汚染物質の保管方法における保管用袋を保管空間に収容ための工程を説明する説明図。
【図３】本発明に従う放射性汚染物質の保管方法における保管用袋を保管塊にするための工程を説明する説明図。
【図４】本発明に従う放射性汚染物質の保管方法において保管用袋を保管した状態を示す説明図。
【図５】本発明に従う放射性汚染物質の保管方法の他の例を示す説明図。
【発明を実施するための形態】
【００１６】
以下、添付図面を参照して、本発明に従う放射性汚染物質の保管方法の一例について説明する。
【００１７】
この放射性汚染物質の保管方法においては、放射性物質（例えば、セシウム１３７、ヨウ素１３１など）に汚染された放射性汚染物質（例えば、土壌など）は保管用袋に収容され、放射性汚染物質が収容された保管用袋が、地中の保管空間（防水処理された空間）に収容されて保管され、防水処理としてアスファルトを用いる。尚、本願明細書において、「アスファルト」とは、溶融アスファルト（所謂、熱アスファルト）、ブロンアスファルト、アスファルトにゴムを添加したゴムアスファルトなどの改質アスファルトを含む概念で用いる。
【００１８】
図１〜図４を参照して更に説明すると、放射性汚染物質を保管するための保管空間２を地中に設ける。例えば、建設機械４（例えば、パワーショベルなど）を用いて地面を掘削し、例えば直方体状の上面が開放された保管用穴６を形成する。そして、この保管用穴６の底面及周側面の全域に防水処理を施す。この防水処理の処理材料としてアスファルト（改質アスファルトを含む）を用い、保管用穴６の底面及び周側面に第１アスファルト層８を設ける。例えば、保管用穴６の底面及び周側面に改質アスファルトとしてのアスファルトエマルジョンを吹き付けて第１アスファルト層８を形成し、このようにして形成した第１アスファルト層８は、柔軟性を有するとともに、充分な防水機能を有している。このように第１アスファルト層８を形成した後に、第１アスファルト層８の底面に溶融アスファルトを流し込んで底アスファルト層１０を形成する。このように底アスファルト層１０を形成することによって、保管空間２の底部においては第１アスファルト層８及び底アスファルト層１０の二重防水構造となり、充分な防水機構を確保することができる。また、底アスファルト層１０に仮にクラックが生じたとしても、周囲の水圧、土圧によってクラック内に第１アスファルト層８が移動して侵入し、これによって、底アスファルト層１０の防水機能を維持することができる。尚、保管空間２が大きくないときには、底アスファルト層１０を省略することもできる。
【００１９】
このようにして地中に保管空間２を設けた後に、例えば、図２に示すように放射性汚染物質をこの保管空間２に収容する。この形態では、放射性汚染物質（例えば、放射性物質で汚染された土壌、焼却灰など）を収容する保管用袋として、例えばサンドバッグ１４が用いられ、放射性汚染物質は、例えば表面土壌を除去した作業現場（又は表面土壌、焼却灰などを集積した作業現場）にてサンドバッグ１４に収容される。
【００２０】
放射性汚染物質を収容したサンドバッグ１４は、第２アスファルト層で被覆される。例えば、このサウンドバッグ１４全体を溶融したアスファルト（所謂、熱アスファルト）に浸漬することによって、第２アスファルト層を形成することができ、このようにサンドバッグ１４を溶融アスファルトにドブ漬けすることによって、サンドバッグ１４に防水機能を持たせることができるとともに、サンドバッグ１４の後述する接着を容易にし、その接着性を高めることができ、加えて、サンドバッグ１４からの放射性汚染物質の漏れを確実に防止することができる。
【００２１】
このように第２アスファルト層により被覆したサンドバッグ１４は、上述したようにして形成した保管空間２まで搬送されてその中に収容される。このサンドバッグ１４の搬送は、トラックなどの車両に載せて搬送することができるが、例えば、図２に示すようようなリフト搬送装置１６を用いて搬送して保管空間２内に収容することもでき、種々の公知の方法でもって搬送することができる。
【００２２】
図２において、搬送方法の一例としての図示の例では、表面土壌を除去した作業現場（図示せず）及び保管空間２を通してサンドバッグ１４を搬送するようにリフト搬送装置１６を設けている。リフト搬送装置１６は、複数の支持柱１８を備え、これら複数の支持柱１８が所定の間隔をおいて地面に設けられ、これら支持柱１８に作業現場及び保管空間２を通して搬送ワイヤ２０が張設される。支持柱１８にはプーリが回転自在に装着され、搬送ワイヤ２０はこれらプーリに移動自在に支持されて環状に設けられるが、図２においては、サンドバッグ１４を保管空間２に搬送するための搬送ワイヤ２０の往き側部２２のみを示し、この往き側部２２は、矢印２４で示す方向に移動される。
【００２３】
搬送ワイヤ２０には、サンドバッグ１４を吊り下げるための吊下げ具２２が設けられ、これら吊下げ具２２は、その吊下げ部が係止状態と解除状態とに切換可能に構成されている。吊下げ部２２の吊下げ部が係止状態のときには、サンドバッグ１４の環状掛け部（例えば、サンドバッグ１４の開口部を締め付けるロープによって形成される）を係止させることができ、解除状態のときには、吊下げ部に係止された環状掛け部をこの吊下げ部から離脱させることができる。
【００２４】
作業現場（図示せず）と保管空間２との間に、被覆形成域２６が設けられ、この被覆形成域２６は、作業現場に近いところに設けるのが望ましい。この形態では、被覆形成域２６に支持脚２８が設けられ、この支持脚２８に加熱釜３０が支持されている。加熱釜３０の下方には加熱バーナ３２が設けられ、この加熱バーナ３２により加熱釜３０が加熱される。加熱釜３０にはアスファルトが入れられ、加熱バーナ３２からの熱によってこのアスファルトが溶融され、このようにして溶融アスファルト３１がつくられる。
【００２５】
放射性汚染物質は、作業現場にてサンドバッグ１４に収容され、かく収容されたサンドバッグ１４の開口部はロープにより締めて閉じられ、この閉じる際に環状掛け部が形成される。放射性汚染物質が収容されたサンドバッグ１４は、作業現場にて吊下げ具２２（具体的には、係止状態の吊下げ部）に係止され、矢印２４で示す方向に保管空間２に向けて搬送される。そして、この搬送の途中の被覆形成域２６において、サンドバッグ１４を加熱釜３０内の溶融アスファルト３１に浸漬させ、かく浸漬させてサンドバッグ１４全体を第２アスファルト層にて被覆し、かく被覆した後に保管空間２まで搬送する。
【００２６】
サンドバッグ１４が保管空間２の上方まで搬送されると、吊下げ具２２の吊下げ部を解除状態にする。かくすると、サンドバッグ１４の環状掛け部が吊下げ具２２の吊下げ部から外れ、搬送されてきたサンドバッグ１４は吊下げ具２２から落下して保管空間２内に収容される。
【００２７】
尚、この例では、サンドバッグ１４を保管空間２に搬送する途中で溶融アスファルト３１に浸漬させているが、このような例に代えて、作業現場に被覆形成域２６を設け、この被覆形成域２６に加熱釜３０を設けて溶融アスファルト３１をつくり、作業現場にてサンドバッグ１４を溶融アスファルト３１に浸漬し、第２アスファルト層で被覆したサンドバッグ１４をリフト搬送装置１６でもって保管空間２まで搬送するようにしてもよい。或いは、作業現場にて溶融アスファルト３１に浸漬させたサンドバッグ１４を車両に載せて保管空間２まで搬送するようにしてもよい。
【００２８】
このようにサンドバッグ１４を保管空間２に収容した後に、図３に示すように、この保管空間２内に溶融アスファルト３４を注入してサンドバッグ１４間の間隙に溶融アスファルト３４を流し込んで間隙がなくなるようにする。このとき、保管空間２に多数のサンドバッグ１４を収容した状態で溶融アスファルト（所謂、熱アスファルト）を注入すると、サンドバッグ１４間に間隙が残るおそれがあり、それ故に、サンドバッグ１４が２〜３層に積み上がった状態にて溶融アスファルトを注入するようにし、保管空間２へのサンドバッグ１４の収容及び保管空間２への溶融アスファルトの注入を繰返し遂行するのが望ましい。このように溶融アスファルトを注入すると、この溶融アスファルトが接着剤の如く機能し、第２アスファルト層に覆われたサンドバッグ１４がこの溶融アスファルトを介して接着され、溶融アスファルトが固まることによって、多数のサンドバッグ１４が一つの塊となる。
【００２９】
このようにサンドバッグ１４の収容及び溶融アスファルトの注入を繰返し遂行すると、サンドバッグ１４間の間隙が溶融アスファルトで満たされ、保管空間２内に収容された多数のサンドバッグ１４が注入された溶融アスファルトによって一つの大きな保管塊３６となる。このような保管塊３６の状態においては、第２アスファルト層で覆われたサンドバッグ１４が、更に、溶融アスファルトで覆われて一つの塊となり、非常に安定した状態で保管空間２内に収容され、外からの水圧、土圧などにも充分に耐えうる強度を有する。
【００３０】
保管空間２内に収容したサンドバッグ１４を溶融アスファルト３４によって保管塊３６にした後に、図４に示すように、保管空間２の収容開口７に土壌３８を入れてこの保管塊３６の上側を土壌３８で覆う。その後、土壌３８を覆うようにして保管空間２の収容開口７を防水シート４０で覆い、このようにして保管空間２の収容開口７にも防水処理して地下水の保管空間２内への流入を防止する。
【００３１】
その後、この防水シート４０を土壌で覆って元の状態に戻す。このようにサンドバッグ１４をアスファルトで一つの保管塊３６として地中に保管する。このような保管空間２を多数設けた埋設保管地域は、地中に放射性汚染物質を収容したサンドバッグ１４が埋設されているので、図４に示す如く、風力発電設備４２を設置したり、或いは太陽光発電設備４４を設置することによって、その有効利用を図ることができる。
【００３２】
尚、上述した例では、保管空間２の収容開口７に防水シート４０を設けているが、このような防水シートを保管用穴６の底面及び周側面にも配設し、保管用穴６の底面及び周側面における防止シートの表面側にアスファルトエマルジョンを吹き付けるようにするのが望ましく、このように防止シートを介して吹き付けることによって、アスファルトエマルジョンの施工が容易となるとともに、防水シートにより防水機能をより高めることができる。
【００３３】
上述した実施例では、放射性汚染物質を保管するのに、保管用袋としてのサンドバッグ１４を用いているが、このような保管用袋に代えて、例えば立方体状又は直方体状の保管用容器を用いるようにしてもよい。図５を参照して、このような保管用容器としては、例えば合成樹脂製容器５２（例えば、放射性汚染物質を収容する容器本体と、この容器本体の収容開口を閉塞する蓋体とを備えたもの）を用いることができる。このような保管用容器を用いた場合においても、上述したと同様に、放射性汚染物質を収容した合成樹脂製容器５２を例えば溶融アスファルトに浸漬させ第２アスファルト層で覆い、その後、上述したと同様の保管空間２に収容する。
【００３４】
合成樹脂製容器５２を保管空間２内に収容し、例えば２〜３段に積み上げる毎に、上述した同様にして溶融アスファルト３４を注入して合成樹脂製容器５２間の間隙をなくすようにし、このようにして収容した合成樹脂製容器５２を一つの保管塊３６Ａとし、このように保管塊３６Ａとすることによって、合成樹脂製容器５２を安定的に地中に埋設保管することができる。尚、合成樹脂製容器５２を保管塊３６Ａにした後は、上述したと同様にして元の状態に戻すようになる。
【００３５】
このような保管用容器を用いる場合、例えば、容器の内面に鉛のコーティングを施す、或いはその内面に鉛製シートを配設することによって、放射線の外部への漏れを抑えることができ、従って、このような保管用容器を用いることによって、放射製物資によって強く汚染された汚染物質の保管が可能となる。尚、放射線の外部への漏出を抑えるために、アスファルトに鉛を混入するようにし、鉛混入アスファルトを用いて保管空間２を覆う第１アスファルト層１０を形成するようにしてもよく、またこの鉛混入アスファルトを用いて保管塊３６Ａを形成するようにしてもよい。
【００３６】
以上、本発明に従う放射性汚染物質の保管方法の実施例について説明したが、本発明はかかる保管方法に限定されず、本発明の範囲を逸脱することなく種々の変形乃至修正が可能である。
【００３７】
例えば、上述した実施例では、地面に保管用穴６を掘削して保管空間２を設けるようにしているが、保管用穴６として廃坑などを利用することもできる。
【符号の説明】
【００３８】
２  保管空間
６  保管用穴
８  第１アスファルト層
１４  サンドバッグ（保管用袋）
１６  リフト搬送装置
２０  搬送ワイヤ
２２  吊下げ具
２６  被覆形成域
３１，３４  溶融アスファルト
３６，３６Ａ  保管塊
４０  防水シート
５２  合成樹脂製容器（保管用容器）
【図１】
0005761669.tif 000002
【図２】
0005761669.tif 000003
【図３】
0005761669.tif 000004
【図４】
0005761669.tif 000005
【図５】
0005761669.tif 000006